(57)【要約】【課題】ケーシングに対する軸受固定プレートの位置決めを簡単に行えるようにして、変速機の組立効率を向上させる。【解決手段】プーリ１１が取り付けられたプーリ軸１０と、プーリ軸１０を支持する軸受１５と、軸受１５を取り付ける取付穴３６を有するＭケース３５と、Ｍケース３５に取り付けた軸受１５を固定するための軸受固定プレート１６とを備え、軸受固定プレート１６には、Ｍケース３５に対する位置決め用の腕部１７が形成されており、軸受１５及びプーリ軸１０にＭケース３５を組み付ける際、腕部１７を組立用治具４０の位置決めピン４２に係合させておくことで、軸受固定プレート１６の位置決めが行われるようにした。また、その状態で固定用ボルト１９を締結して軸受固定プレート１６をＭケース３５に固定すれば、腕部１７と位置決めピン４２との係合が外れるように構成した。【選択図】図５
2011106523.tif 000002
【特許請求の範囲】
【請求項１】
回転部品が取り付けられた回転軸と、
前記回転軸を支持する軸受と、
前記軸受を取り付ける取付部を有するケーシングと、
前記ケーシングに取り付けた前記軸受を固定するための軸受固定プレートと、を備え、
前記軸受固定プレートには、該軸受固定プレートを前記ケーシングに対して位置決めするための位置決め用の腕部が形成されており、
前記軸受及び前記回転軸に前記ケーシングを組み付ける際、組立用治具に設けた位置決め部に前記腕部を係合させておくことで、前記ケーシングに対する前記軸受固定プレートの位置決めが行われるようにした
ことを特徴とする変速機の軸受取付構造。
【請求項２】
前記軸受固定プレートは、固定用ボルトの締結で前記ケーシングに固定されるようになっており、
前記固定用ボルトを締め付ける前は、前記腕部が前記組立用治具の前記位置決め部に係合しており、
前記固定用ボルトを締め付けて前記軸受固定プレートを前記ケーシングに固定すると、前記腕部と前記位置決め部との係合が外れるように構成した
ことを特徴とする請求項１に記載の変速機の軸受取付構造。
【請求項３】
前記組立用治具に設けた前記位置決め部は、前記回転軸に対して所定間隔で平行に設置した棒状の位置決めピンであり、
前記腕部を前記位置決めピンに係合させることで、前記軸受固定プレートに設けたボルト穴と前記ケーシングに設けたボルト穴との位置決めが行われる
ことを特徴とする請求項１又は２に記載の変速機の軸受取付構造。
【請求項４】
前記回転部品を潤滑した潤滑油が、前記ケーシングの内面から前記軸受固定プレートの前記腕部を伝って前記軸受に案内されるように構成した
ことを特徴とする請求項１乃至３のいずれかに記載の変速機の軸受取付構造。
【発明の詳細な説明】
【技術分野】
【０００１】
本発明は、変速機のケーシングに軸受を取り付けてなる軸受取付構造に関し、詳細には、ケーシングに取り付けた軸受を固定するための軸受固定プレートを備えた軸受取付構造に関する。
【背景技術】
【０００２】
従来、例えば、特許文献１に示すように、変速機のケーシングに軸受を取り付けてなる軸受取付構造がある。この軸受取付構造は、ギヤやプーリなどの回転部品が取り付けられた回転軸と、回転軸を支持する軸受と、軸受を取り付けるための取付穴を有するケーシングと、ケーシングに取り付けた軸受を固定するための軸受固定プレートとを備え、ケーシングに取り付けた軸受に被せて装着した軸受固定プレートで、回転軸及び軸受に発生する軸方向の力を受け止めるように構成されている。
【０００３】
ところで、軸受固定プレートは、ケーシングに対して固定用ボルトの締結で固定されている。そして、軸受固定プレートの固定作業では、回転軸の端部及び軸受にケーシングを被せる前に、予め軸受固定プレートをケーシング内側の回転軸上に配置しておく。そして、回転軸の端部及び軸受にケーシングを被せた後、固定用ボルトの締め付けを行うことで、ケーシングに対する軸受固定プレートの固定を行うようになっている。その際、固定ボルトを締結するためには、軸受固定プレートのボルト穴とケーシングのボルト穴との位置決め（位相合わせ）を行うことが必要である。
【０００４】
そして、従来の変速機のケーシングは、軸方向で３〜４ピースに分割されているものが主流であったため、各ピースの軸方向の寸法（深さ寸法）が比較的小さかった。そのため、回転軸の端部に有底容器状のケーシングを被せて取り付ける際、ケーシングの開口端から内部の軸受固定プレートに手が届くようになっていた。そのため、上記の固定用ボルトの締結時に行う軸受固定プレートの位置決めは、比較的容易な作業であった。
【０００５】
しかしながら、最近では、変速機の軽量化を図るために、ケーシングの分割数を少なく抑えることが行われている。そのため、ケーシングが軸方向で２ピース程度に分割された変速機がある。そのような変速機では、ケーシングの軸方向寸法（深さ寸法）が大きいため、従来のようにケーシングの開口端から軸受固定プレートに手が届かない場合がある。そうすると、固定用ボルトの締結時に作業者が手作業で軸受固定プレートの位置決めを行うことが出来ないという問題がある。
【先行技術文献】
【特許文献】
【０００６】
【特許文献１】特開平１０−１９１０９号公報
【発明の開示】
【発明が解決しようとする課題】
【０００７】
本発明は上述の点に鑑みてなされたものであり、その目的は、ケーシングに対する軸受固定プレートの位置決めを容易に行うことができ、変速機の組立効率を向上させることができる軸受取付構造を提供することにある。
【課題を解決するための手段】
【０００８】
上記課題を解決するため、本発明にかかる変速機の軸受取付構造は、回転部品（１１）が取り付けられた回転軸（１０）と、回転軸（１０）を支持する軸受（１５）と、軸受（１５）を取り付ける取付部（３６）を有するケーシング（３５）と、ケーシング（３５）に取り付けた軸受（１５）を固定するための軸受固定プレート（１６）と、を備え、軸受固定プレート（１６）には、該軸受固定プレート（１６）をケーシング（３５）に対して位置決めするための位置決め用の腕部（１７）が形成されており、軸受（１５）及び回転軸（１０）にケーシング（３５）を組み付ける際、組立用治具（４０）に設けた位置決め部（４２）に腕部（１７）を係合させておくことで、ケーシング（３５）に対する軸受固定プレート（１６）の位置決めが行われるようにしたことを特徴とする。
【０００９】
本発明にかかる変速機の軸受取付構造によれば、軸受固定プレートには、該軸受固定プレートをケーシングに対して位置決めするための位置決め用の腕部が形成されており、軸受及び回転軸にケーシングを組み付ける際、この腕部を組立用治具に設けた位置決め部に係合させておくことで、軸受固定プレートの位置決めが行われるようにしている。したがって、ケーシングの軸方向寸法（深さ寸法）が大きく、従来のようにケーシングの開口端から軸受固定プレートに手が届かない場合であっても、軸受固定プレートの位置決めを容易に行うことができる。したがって、軸受固定プレートの固定作業を簡単かつ迅速に行えるようになるので、変速機の組立効率を向上させることができる。
【００１０】
また、この軸受取付構造では、軸受固定プレート（１６）は、固定用ボルト（１９）の締結でケーシング（３５）に対して固定されるようになっており、固定用ボルト（３９）を締め付ける前は、腕部（１７）が組立用治具（４０）に設けた位置決め部（４２）に係合しており、固定用ボルト（３９）を締め付けて軸受固定プレート（１９）をケーシング（３５）に固定すると、腕部（１７）と位置決め部（４２）との係合が外れるように構成するとよい。
【００１１】
軸受固定プレートに上記の位置決め用の腕部を備えていると、固定用ボルトで軸受固定プレートをケーシングに固定する場合、固定用ボルトの締め付けに伴い軸受固定プレートに変形が生じたり、軸受固定プレートが正規の位置に固定される際に位置決め部に係合している腕部の位置が変化したりする場合がある。これに対して、本発明では、腕部を位置決め部に係合させた状態で、固定用ボルトを締め付けて軸受固定プレートをケーシングに固定すると、腕部と位置決め部との係合が外れるように構成した。したがって、上記のような軸受固定プレートの変形や腕部の位置変化が生じる場合でも、腕部から組立用治具の位置決め部に対して負荷がかからないようになる。これにより、組立用治具の位置決め部に歪みや変形が生じることを防止できる。また、軸受固定プレートをケーシングに対して適正な位置に固定することができる。
【００１２】
また、上記の軸受取付構造の実施態様として、組立用治具の位置決め部は、回転軸に対して所定間隔で平行に設置した棒状の位置決めピンであり、腕部を位置決めピンに係合させることで、軸受固定プレートに設けたボルト穴とケーシングに設けたボルト穴との位置決めが行われるようにしてよい。これによれば、ケーシングの組付後に、ケーシング内の軸受固定プレートをボルトの締結で固定する場合、ボルト穴の位置合わせが済んでいることで、ボルトの締結作業が簡単に行えるようになる。
【００１３】
また、上記の軸受取付構造を備えた変速機では、回転部品を潤滑した潤滑油が、ケーシングの内面から軸受固定プレートの腕部を伝って軸受に案内されるように構成するとよい。これによれば、組立後の変速機において、位置決め用の腕部を用いて軸受の効果的な潤滑を行うことが可能となるので、回転軸及び回転部品の滑らかな回転動作を確保できる。
なお、上記の括弧内の符号は、後述する実施形態における構成要素の符号を本発明の一例として示したものである。
【発明の効果】
【００１４】
本発明にかかる変速機の軸受取付構造によれば、ケーシングに対する軸受固定プレートの位置決めを容易に行うことができ、変速機の組立効率を向上させることができる。
【図面の簡単な説明】
【００１５】
【図１】本発明の一実施形態にかかる軸受取付構造を備えた変速機の全体構成例を示す主断面図である。
【図２】（ａ）は、軸受固定プレートを示す平面図、（ｂ）は、（ａ）のＡ−Ａ矢視断面図である。
【図３】トランスミッションケース（Ｍケース）内の軸受固定プレートの配置構成を示す図で、Ｍケースの内面側を示す概略図である。
【図４】変速機の組立工程を説明するための図である。
【図５】軸受固定プレートをＭケースに固定する手順を説明するための図で、（ａ）は、固定用ボルトを締め付ける前の状態、（ｂ）は、固定用ボルトを締め付けた後の状態を示す図である。
【図６】変速機のＭケース内における潤滑油の流れを説明するための図である。
【発明を実施するための最良の形態】
【００１６】
以下、添付図面を参照して本発明の実施形態を詳細に説明する。図１は、本発明の一実施形態にかかる軸受取付構造を備えた変速機の全体構成例を示す主断面図である。図１に示す変速機１は、駆動プーリ軸１０上に設けた駆動プーリ１１と、従動プーリ軸２０上に設けた従動プーリ２１との間に無端状のＶベルト６を巻き掛けてなるベルト式無段変速機構（ＣＶＴ：Continuously Variable Transmission）５を備えている。
【００１７】
また、この変速機１は、トルクコンバータＴＣを介してエンジンなどの駆動源（図示せず）の駆動力が伝達される入力軸２を備えており、入力軸２上には、前進用クラッチ４が配設されている。一方、駆動プーリ軸１０上には、後進用クラッチ７が配設されている。そして、入力軸２と駆動プーリ軸１０の間には、前進用クラッチ４又は後進用クラッチ７の係合によって入力軸２からの駆動力を駆動プーリ軸１０に伝達するギヤ機構９が配置されている。これにより、ベルト式無段変速機構５の駆動プーリ軸１０は、入力軸２からの駆動力が伝達されて回転するようになっている。一方、従動プーリ軸２０からの駆動力は、ディファレンシャル機構８及び左右のアクスルシャフト８ａ，８ｂを介して左右の車輪（図示せず）に伝達されるようになっている。なお、本実施形態の説明で軸方向というときは、駆動プーリ軸１０及び従動プーリ軸２０の軸方向を示すものとする。
【００１８】
ベルト式無段変速機構５の駆動プーリ１１は、駆動プーリ軸１０上に回転自在に配設された固定プーリ半体１１ａと、固定プーリ半体１１ａに対向する位置で軸方向に直線移動可能かつ回転可能に配設された可動プーリ半体１１ｂとを備えて構成されている。可動プーリ半体１１ｂの背面側（固定プーリ半体１１ａと反対側）には、プーリカバー１２で囲まれたシリンダ室１４が形成されている。シリンダ室１４には、図示しない油圧制御バルブで調圧された油圧が供給されるようになっている。シリンダ室１４に供給される制御油圧により、可動プーリ半体１１ｂを軸方向に移動させる駆動側圧（駆動プーリ側圧）が発生するようになっている。
【００１９】
一方、従動プーリ２１は、従動プーリ軸２０に固定された固定プーリ半体２１ａと、固定プーリ半体２１ａに対向する位置で軸方向に直線移動可能かつ回転可能に配設された可動プーリ半体２１ｂとを備えて構成されている。可動プーリ半体２１ｂの背面側（固定プーリ半体２１ａと反対側）には、プーリカバー２２で囲まれたシリンダ室２４が形成されており、シリンダ室２４には、油圧制御バルブで調圧された油圧が供給されるようになっている。シリンダ室２４に供給される制御油圧により、可動プーリ半体２１ｂを軸方向に移動させる従動側圧（従動プーリ側圧）が発生するようになっている。
【００２０】
上記構成のベルト式無段変速機構５では、シリンダ室１４及びシリンダ室２４への供給油圧（駆動側圧および従動側圧）を制御することで、駆動プーリ１１及び従動プーリ２１に対して、Ｖベルト６が滑りの発生することのない側圧を付与する。さらに、駆動側圧および従動側圧を互いに異ならせながら調節する制御を行い、駆動プーリ１１及び従動プーリ２１の溝幅を適宜に変化させて、Ｖベルト６の巻き掛け径を変化させることで、駆動プーリ１１と従動プーリ２１の間の変速比を無段階に変化させる制御が行われる。
【００２１】
そして、変速機１の構成部品を収容しているケーシング３０は、トルクコンバータＴＣを収容しているトルクコンバータケース（以下、「ＴＣケース」という。）３１と、ベルト式無段変速機構５を収容しているトランスミッションケース（以下、「Ｍケース」という。）３５とで構成されている。Ｍケース３５は、ベルト式無段変速機構５の駆動プーリ１１及び従動プーリ２１の外周側を囲む筒状で、かつ、駆動プーリ軸１０及び従動プーリ軸２０の端部（トルクコンバータＴＣと反対側の端部）１０ａ，２０ａを覆う底部３５ｂ有する有底容器状に形成されている。このＭケース３５は、開口端３５ａがボルト３３の締結でＴＣケース３１に対して軸方向に連結固定されている。
【００２２】
また、Ｍケース３５には、駆動プーリ軸１０上の軸受１５を取り付ける取付穴（取付部）３６が形成されている。取付穴３６は、Ｍケース３５の底部３５ｂに設けた円形の開口からなる。また、取付穴３６には、軸受１５を固定するための軸受固定プレート１６が被せて取り付けられている。すなわち、この変速機１では、駆動プーリ軸１０の端部１０ａを支持する軸受１５がＭケース３５の取付穴３６に嵌合しており、駆動プーリ軸１０がＭケース３５に対して回転可能に支持されている。そして、Ｍケース３５の取付穴３６に嵌合している軸受１５に被せて装着した軸受固定プレート１６で、駆動プーリ軸１０及び軸受１５に発生する軸方向の力を受け止めるように構成されている。
【００２３】
図２（ａ）は、軸受固定プレート１６を示す平面図であり、（ｂ）は、（ａ）のＡ−Ａ矢視断面図である。図２に示すように、軸受固定プレート１６は、外形が略三角形状に形成された平板状の本体部１６ｂを有している。本体部１６ｂの外周側における三角形の各頂点に対応する位置には、ボルト穴１６ｃが形成されている。ボルト穴１６ｃは、軸受固定プレート１６をＭケース３５に固定するための固定用ボルト１９（図１参照）を締結する部分である。また、本体部１６ｂの中央には、駆動プーリ軸１０及び後述するプーリカバー１２の肩部１２ａを貫通させる円形の開口部１６ａが形成されている。ここで、開口部１６ａの内径寸法及び縁の面取り角度は、後述する変速機１の組立工程において、固定用ボルト１９の締め付け前の軸受固定プレート１６がプーリカバー１２上に載置されている状態（図５（ａ）に示す状態）で、開口部１６ａの縁がプーリカバー１２の肩部１２ａに当接することで、軸受固定プレート１６が所定の高さ位置となるように設定されている。
【００２４】
図３は、Ｍケース３５内の軸受固定プレート１６の配置構成を示す図で、軸方向から見たＭケース３５の内面側を示す概略図である。軸受固定プレート１６は、Ｍケース３５内の駆動プーリ軸１０の端部１０ａを支持する軸受１５をＭケース３５に固定するものであり、図３に示すように、本体部１６ｂの中心（開口部１６ａの中心）が駆動プーリ軸１０の軸心と一致するように配置されている。
【００２５】
また、図２に示すように、軸受固定プレート１６には、軸受固定プレート１６のＭケース３５に対する位置決めを行うための腕部１７が設けられている。腕部１７は、本体部１６ｂにおけるボルト穴１６ｃの間の外周辺から外側に向かって突出する細片状に形成されている。腕部１７は、本体部１６ｂの中心（開口部１６ａの中心）に対して径方向の外側に突出している。腕部１７の先端には、後述する支持装置４０の位置決めピン４２を係合させるピン係合部１７ａが形成されている。ピン係合部１７ａは、腕部１７の先端に設けた略Ｕ字型の凹部からなる。また、図２（ｂ）に示すように、腕部１７の長手方向の途中には、本体部１６ｂの面から離間する方向に屈曲する屈曲部１７ｂが設けられており、腕部１７の先端側は、本体部１６ｂの面に対して垂直方向に若干離間して配置されている。なお、腕部１７と屈曲部１７ｂの形状及び寸法は、後述する変速機１の組立工程において、固定用ボルト１９の締め付け後（図５（ｂ）に示す状態）に位置決めピン４２と腕部１７とのクリアランスＣが所定量となるように設定されている。
【００２６】
図４及び図５は、変速機１の組立工程を説明するための図で、図４は、駆動プーリ軸１０及び従動プーリ軸２０の端部１０ａ，２０ａにＭケース３５を被せて組み付ける工程を示す図である。また、図５は、軸受固定プレート１６をＭケース３５に固定する手順を説明するための図で、（ａ）は、固定用ボルト１９を締め付ける前の状態、（ｂ）は、固定用ボルト１９を締め付けた後の状態を示す図である。なお、図５は、軸受１５及びその近傍の断面を概略的に示す部分拡大図であり、同図に示す軸受固定プレート１６の腕部１７など各部の形状は、実際とは若干異なっている。
【００２７】
本実施形態の変速機１の組立は、図４に示すように、組立用の支持装置（組立用治具）４０を用いて行われる。支持装置４０は、駆動プーリ軸１０及び従動プーリ軸２０をそれらの一端１０ａ，２０ａを上にして垂直方向に立設した状態で支持する軸支持部４１と、軸支持部４１によって支持された駆動プーリ軸１０及び従動プーリ軸２０の側部に立設された位置決めピン４２とを備えている。位置決めピン４２は、軸支持部４１上の駆動プーリ軸１０に対して所定間隔で平行に設置した棒状の部材からなり、その先端部４２ａに軸受固定プレート１６の腕部１７に設けたピン係合部１７ａを係合させることで、軸受固定プレート１６の位置決めを行うようになっている。
【００２８】
駆動プーリ軸１０及び従動プーリ軸２０の端部１０ａ，２０ａにＭケース３５を組み付けるには、支持装置４０で駆動プーリ軸１０及び従動プーリ軸２０を垂直方向に立設し、その状態で、駆動プーリ軸１０及び従動プーリ軸２０の軸方向に沿ってベルト式無段変速機構５の各構成部品を積層するように組み付けてゆく。そして、駆動プーリ軸１０に対する構成部品の組み付けでは、駆動プーリ軸１０上に可動プーリ半体１１ｂを設置し、その上にプーリカバー１２を被せ、さらにその上から軸受固定プレート１６を載置する。この際、図５（ａ）に示すように、プーリカバー１２の中心に形成した隆起状の肩部１２ａに軸受固定プレート１６の開口部１６ａを被せる。これにより、開口部１６ａの縁がプーリカバー１２の肩部１２ａに当接し、その高さ位置で軸受固定プレート１６が停止する。この状態で、軸受固定プレート１６の腕部１７に設けたピン係合部１７ａが位置決めピン４２の先端部４２ａに係合することで、軸受固定プレート１６のボルト穴１６ｃと対応するＭケース３５のボルト穴３９との位置決め（位相合わせ）が行われるようになっている。その後、駆動プーリ軸１０に軸受１５を圧入して取り付ける。さらに、駆動プーリ軸１０の端部１０ａにＭケース３５を被せて組み付ける。この際、駆動プーリ軸１０上の軸受１５をＭケース３５の取付穴３６に嵌め込んで取り付ける。なお、これと同時に、従動プーリ軸２０及びそれを支持する軸受２５（図４参照）に対してもＭケース３５が組み付けられる。以上により、Ｍケース３５の組み付けが完了する。
【００２９】
Ｍケース３５の組み付けが完了したら、軸受固定プレート１６をＭケース３５に固定する。これには、図５（ｂ）に示すように、Ｍケース３５に設けたボルト穴３９に対して、Ｍケース３５の外面側から固定用ボルト１９を貫通させ、該固定用ボルト１９を軸受固定プレート１６のボルト穴１６ｃに締結する。
【００３０】
ここで、図５（ａ）に示すように、固定用ボルト１９の締め付け前に軸受固定プレート１６がプーリカバー１２側に落ち込んでいる状態では、腕部１７のピン係合部１７ａが位置決めピン４２の先端部４２ａに係合した状態となっている。そして、固定用ボルト１９を締め付けてゆくと、軸受固定プレート１６がＭケース３５及び軸受１５側に移動する。これにより、固定用ボルト１９の締め付け後には、図５（ｂ）に示すように、軸受固定プレート１６がＭケース３５の内面及び軸受１５に密着した状態となる。この状態で、腕部１７のピン係合部１７ａと位置決めピン４２の先端部４２ａとの係合が外れ、ピン係合部１７ａと先端部４２ａとの間に所定量のクリアランスＣができるようになっている。
【００３１】
以上説明したように、本実施形態の変速機１が備える軸受取付構造では、軸受固定プレート１６にＭケース３５に対して位置決めするための位置決め用の腕部１７を形成し、駆動プーリ軸１０及び軸受１５にＭケース３５を組み付ける際、腕部１７を支持装置４０の位置決めピン４２に係合させておくことで、軸受固定プレート１６の位置決めが行われるようにした。したがって、Ｍケース３５の軸方向寸法（深さ寸法）が大きく、従来のようにＭケース３５の開口端３５ａ（図１参照）側から軸受固定プレート１６に手が届かない場合であっても、軸受固定プレート１６の位置決めを容易に行うことができる。したがって、軸受固定プレート１６の固定作業を簡単かつ迅速に行えるようになるので、変速機１の組立効率を向上させることができる。
【００３２】
また、上記の軸受取付構造では、固定用ボルト１９の締め付けに伴い軸受固定プレート１６に若干の変形が生じたり、軸受固定プレート１６が正規の位置に固定される際に、位置決めピン４２に係合している腕部１７に位置ずれが生じたりする場合がある。これに対処するため、本実施形態の軸受取付構造では、腕部１７を位置決めピン４２に係合させた状態で、固定用ボルト１９を締め付けて軸受固定プレート１６をＭケース３５に固定すると、腕部１７のピン係合部１７ａと位置決めピン４２の先端部４２ａとの係合が外れるように構成した。したがって、上記のような軸受固定プレート１６の変形や位置決めピン４２の位置ずれが生じる場合でも、腕部１７から位置決めピン４２に対して負荷がかからないようになっている。これにより、支持装置４０の位置決めピン４２に歪みや変形が生じることを防止できる。また、軸受固定プレート１６をＭケース３５に対して適正な位置に固定することができる。
【００３３】
次に、組立後の変速機１のケーシング３０内での腕部１７の作用について説明する。図６は、変速機１のＭケース３５内での潤滑油の流れを説明するための概略図である。組立後の変速機１が動作する際、駆動プーリ１１と従動プーリ２１との間に掛け渡されたＶベルト６に潤滑油が供給されるようになっている。そして、このＶベルト６に供給された潤滑油は、Ｖベルト６の回転で跳ね上げられてＭケース３５の内面に飛散する。この潤滑油は、図６の矢印Ｘで示すように、Ｍケース３５の内面から軸受固定プレート１６の腕部１７を伝って軸受１５に案内されるようになっている。このように構成したことで、組立時に使用した位置決め用の腕部１７を利用して、変速機１の運転時には、軸受１５に対する効果的な潤滑を行うことが可能となる。したがって、駆動プーリ軸１０の滑らかな回転動作を確保できるようになる。
【００３４】
以上、本発明の実施形態を説明したが、本発明は上記実施形態に限定されるものではなく、特許請求の範囲、及び明細書と図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。例えば、本発明にかかる軸受取付構造を適用する変速機は、ギヤやプーリなどの回転部品が取り付けられた回転軸と、回転軸を支持する軸受と、当該軸受をケーシングに固定するための軸受固定プレートとを備えた変速機であれば、その具体的な構成は、上記実施形態に示すベルト式無段変速機には限らず、他の構成の変速機にも適用が可能である。
【００３５】
また、軸受固定プレートに形成する位置決め用の腕部の具体的な形状や配置は、上記実施形態に示すものには限定されない。また、組立用治具に設けた位置決め部の構成も、上記実施形態に示す位置決めピンには限らず、他の構成の位置決め部であってもよい。
【符号の説明】
【００３６】
１  変速機
２  入力軸
４  前進用クラッチ
５  ベルト式無段変速機構
６  Ｖベルト
７  後進用クラッチ
８  ディファレンシャル機構
８ａ，８ｂ  アクスルシャフト
９  ギヤ機構
１０  駆動プーリ軸
１０ａ  端部
１１  駆動プーリ
１２  プーリカバー
１２ａ  肩部
１５  軸受
１６  軸受固定プレート
１６ａ  開口部
１６ｂ  本体部
１６ｃ  ボルト穴
１７  腕部
１７ａ  ピン係合部
１７ｂ  屈曲部
１９  固定用ボルト
２０  従動プーリ軸
２１  従動プーリ
２２  プーリカバー
２５  軸受
３０  ケーシング
３１  ＴＣケース（トルクコンバータケース）
３５  Ｍケース（トランスミッションケース）
３５ａ  開口端
３５ｂ  底部
３６  取付穴（取付部）
３９  ボルト穴
４０  支持装置（組立用治具）
４１  軸支持部
４２  位置決めピン
４２ａ  先端部
ＴＣ  トルクコンバータ
【図１】
2011106523.tif 000003
【図２】
2011106523.tif 000004
【図３】
2011106523.tif 000005
【図４】
2011106523.tif 000006
【図５】
2011106523.tif 000007
【図６】
2011106523.tif 000008